(57)【要約】【課題】操作装置の構成の複雑化を抑制しながら、操作装置による制御の柔軟性を拡張する技術を提供する。【解決手段】設定装置２００は、操作者からの操作を受けつけると、機器４００を制御するための無線信号を送信する操作装置３００を設定する。入力部２１０は、第１識別情報と第２識別情報と登録情報とを受けつける。認証部２１４は、受けつけた登録情報に対する認証処理を実行する。出力部２１８は、認証処理が成功した場合に、受けつけた第１識別情報と第２識別情報との組合せを操作装置３００に出力する。操作装置３００から送信される無線信号には、第１識別情報と第２識別情報とコマンド情報が含まれる。【選択図】図１
2020010255.tif 000002
【特許請求の範囲】
【請求項１】
操作者からの操作を受けつけると、機器を制御するための無線信号を送信する操作装置を設定する設定装置であって、
前記操作装置を識別するための第１識別情報と、前記機器を識別するための第２識別情報と、設定者を識別するための登録情報とを受けつける入力部と、
前記入力部において受けつけた前記登録情報に対する認証処理を実行する認証部と、
前記認証部における認証処理が成功した場合に、前記入力部において受けつけた前記第１識別情報と前記第２識別情報との組合せを前記操作装置に出力する出力部とを備え、
前記操作装置から送信される前記無線信号には、前記第１識別情報と、前記第２識別情報と、前記機器を制御するためのコマンド情報が含まれる、
設定装置。
【請求項２】
前記入力部は、前記無線信号に含めることが可能な前記コマンド情報のうち、使用すべき前記コマンド情報を受けつけ、
前記出力部は、前記認証部における認証処理が成功した場合に、前記入力部において受けつけた前記コマンド情報を前記操作装置に出力する、
請求項１に記載の設定装置。
【請求項３】
前記操作装置は、前記操作者からの操作を受付可能なスイッチを複数備えており、
前記入力部は、各スイッチに対する前記コマンド情報を受けつけ、
前記出力部は、各スイッチに対する前記コマンド情報を前記操作装置に出力する、
請求項２に記載の設定装置。
【請求項４】
操作者からの操作を受けつけた操作装置からの無線信号をもとに、複数の機器を制御する制御装置であって、
前記操作装置を識別するための第１識別情報と、本制御装置を識別するための第２識別情報とが含まれる前記無線信号を前記操作装置から受信する第１通信部と、
前記第１通信部において受信した前記無線信号に含まれた前記第１識別情報と前記第２識別情報とをもとに、前記複数の機器のそれぞれに対するコマンド情報を取得する取得部と、
前記取得部において取得した前記コマンド情報であって、かつ前記複数の機器のそれぞれに対するコマンド情報を各機器に送信する第２通信部と、
を備える制御装置。
【請求項５】
前記第１通信部において受信した前記無線信号には、モードを識別するためのモード識別情報が含まれており、
前記取得部は、前記第１通信部において受信した前記無線信号に含まれた前記モード識別情報に対応したコマンド情報であって、かつ前記複数の機器のそれぞれに対するコマンド情報を取得する、
請求項４に記載の制御装置。
【請求項６】
請求項４または５に記載の制御装置に前記無線信号を送信すべき前記操作装置を設定する設定装置であって、
前記第１識別情報と、前記第２識別情報と、設定者を識別するための登録情報とを受けつける入力部と、
前記入力部において受けつけた前記登録情報に対する認証処理を実行する認証部と、
前記認証部における認証処理が成功した場合に、前記入力部において受けつけた前記第１識別情報と前記第２識別情報との組合せを前記操作装置に出力する出力部と、
を備える設定装置。
【請求項７】
操作者からの操作を受けつけると、機器を制御するための無線信号を送信する操作装置を設定する設定装置におけるプログラムであって、
前記操作装置を識別するための第１識別情報と、前記機器を識別するための第２識別情報と、設定者を識別するための登録情報とを受けつけるステップと、
受けつけた前記登録情報に対する認証処理を実行するステップと、
認証処理が成功した場合に、受けつけた前記第１識別情報と前記第２識別情報との組合せを前記操作装置に出力するステップとを備え、
前記操作装置から送信される前記無線信号には、前記第１識別情報と、前記第２識別情報と、前記機器を制御するためのコマンド情報が含まれることをコンピュータに実行させるためのプログラム。
【請求項８】
操作者からの操作を受けつけた操作装置からの無線信号をもとに、複数の機器を制御する制御装置におけるプログラムであって、
前記操作装置を識別するための第１識別情報と、本制御装置を識別するための第２識別情報とが含まれる前記無線信号を前記操作装置から受信するステップと、
受信した前記無線信号に含まれた前記第１識別情報と前記第２識別情報とをもとに、前記複数の機器のそれぞれに対するコマンド情報を取得するステップと、
取得した前記コマンド情報であって、かつ前記複数の機器のそれぞれに対するコマンド情報を各機器に送信するステップとをコンピュータに実行させるためのプログラム。
【発明の詳細な説明】
【技術分野】
【０００１】
本開示は、機器を制御する操作装置に対して使用される設定装置、制御装置、プログラムに関する。
【背景技術】
【０００２】
照明を遠隔から制御するために、操作装置の操作部が操作されると、操作装置は、照明装置に接続された制御装置に無線信号を送信する。無線信号には、送信元情報と送信先情報とコマンド情報とが含まれる。制御装置は、無線信号を受信すると、コマンド情報にしたがって照明装置の状態を制御する（例えば、特許文献１参照）。
【先行技術文献】
【特許文献】
【０００３】
【特許文献１】特開２０１６−１３４７９２号公報
【発明の概要】
【発明が解決しようとする課題】
【０００４】
操作装置から送信される無線信号のインターフェイスが複数種類の機器において共通であれば、操作装置を各種類の機器に対して使用可能である。一方、操作装置の構成を簡易にするために、操作装置は、１つの機器のみを制御可能である。このような状況において、操作装置の構成の複雑化を抑制しながら、操作装置による制御の柔軟性を拡張することが求められる。
【０００５】
本開示はこうした状況に鑑みなされたものであり、その目的は、操作装置の構成の複雑化を抑制しながら、操作装置による制御の柔軟性を拡張する技術を提供することにある。
【課題を解決するための手段】
【０００６】
上記課題を解決するために、本開示のある態様の設定装置は、操作者からの操作を受けつけると、機器を制御するための無線信号を送信する操作装置を設定する設定装置であって、操作装置を識別するための第１識別情報と、機器を識別するための第２識別情報と、設定者を識別するための登録情報とを受けつける入力部と、入力部において受けつけた登録情報に対する認証処理を実行する認証部と、認証部における認証処理が成功した場合に、入力部において受けつけた第１識別情報と第２識別情報との組合せを操作装置に出力する出力部とを備える。操作装置から送信される無線信号には、第１識別情報と、第２識別情報と、機器を制御するためのコマンド情報が含まれる。
【０００７】
本開示の別の態様は、制御装置である。この装置は、操作者からの操作を受けつけた操作装置からの無線信号をもとに、複数の機器を制御する制御装置であって、操作装置を識別するための第１識別情報と、本制御装置を識別するための第２識別情報とが含まれる無線信号を操作装置から受信する第１通信部と、第１通信部において受信した無線信号に含まれた第１識別情報と第２識別情報とをもとに、複数の機器のそれぞれに対するコマンド情報を取得する取得部と、取得部において取得したコマンド情報であって、かつ複数の機器のそれぞれに対するコマンド情報を各機器に送信する第２通信部と、を備える。
【０００８】
なお、以上の構成要素の任意の組合せ、本開示の表現を方法、装置、システム、コンピュータプログラム、またはコンピュータプログラムを記録した記録媒体などの間で変換したものもまた、本開示の態様として有効である。
【発明の効果】
【０００９】
本開示によれば、操作装置の構成の複雑化を抑制しながら、操作装置による制御の柔軟性を拡張できる。
【図面の簡単な説明】
【００１０】
【図１】実施例１に係る遠隔操作システムの構成を示す図である。
【図２】図１の遠隔操作システムにおける無線信号のフォーマットを示す図である。
【図３】図１の記憶部に記憶されるテーブルのデータ構造を示す図である。
【図４】図１の設定装置による送信手順を示すフローチャートである。
【図５】実施例２に係る遠隔操作システムの構成を示す図である。
【図６】実施例２に係る記憶部に記憶されるテーブルのデータ構造を示す図である。
【図７】実施例３に係る遠隔操作システムの構成を示す図である。
【図８】図７の遠隔操作システムにおける無線信号のフォーマットを示す図である。
【図９】図１の記憶部に記憶されるテーブルのデータ構造を示す図である。
【発明を実施するための形態】
【００１１】
（実施例１）
本開示の実施例を具体的に説明する前に、本実施例の概要を説明する。実施例は、住宅等の需要家内に設置される機器を操作装置によって遠隔から操作する遠隔操作システムに関する。機器は、例えば、エアーコンディショナ、照明装置、シャッター等である。操作装置は、例えば、リモートコントローラであり、スイッチと無線通信機能を備える。無線通信として、例えば、赤外線通信、近距離無線通信が使用される。操作装置のスイッチが操作者によって操作されると、操作装置は無線信号を送信する。機器は、無線信号を受信すると、無線信号にしたがって処理を実行する。ここで、無線信号には、誤操作を防止するために、送信元である操作装置を識別するための識別情報（以下、「第１識別情報」という）、送信先である機器を識別するための識別情報（以下、「第２識別情報」という）が含まれる。また、識別情報には、機器の動作を指示するためのコマンド情報も含まれる。
【００１２】
複数の機器における無線通信機能の仕様が共通であれば、所定の機器に使用していた操作装置を別の機器に使用することが可能になる。その際、操作装置に記憶されている第２識別情報と、機器に記憶されている第１識別情報とを変更する必要がある。しかしながら、操作装置の構成を簡易にするために、第１識別情報と第２識別情報は操作装置に使用前に記憶されており、それらの変更は想定されていない。一方、仮に変更を可能にする場合であっても、セキュリティの低下を抑制するために、変更可能な人を制限することが望まれる。
【００１３】
本実施例に係る遠隔操作システムは、操作装置と通信可能であるとともに、スマートフォン等の端末装置とも通信可能である設定装置を含む。設定装置は、操作装置を設定可能な設定者を識別するための識別情報（以下、「登録情報」という）を予め登録する。設定者は、端末装置を操作し、登録情報、第１識別情報、第２識別情報を設定装置に送信する。ここで、第１識別情報と第２識別情報の少なくとも１つが変更の対象とされる。設定装置は、登録情報に対して認証処理を実行し、認証処理が成功すれば、第１識別情報と第２識別情報との組合せを記憶するとともに、当該組合せを操作装置に送信する。操作装置は、設定装置からの組合せを受信すると、これを記憶する。
【００１４】
図１は、遠隔操作システム１０００の構成を示す。遠隔操作システム１０００は、端末装置１００、設定装置２００、操作装置３００、機器４００を含む。設定装置２００は、入力部２１０、記憶部２１２、認証部２１４、制御部２１６、出力部２１８を含み、操作装置３００は、スイッチ３１０、制御部３１２、送信部３１４、受信部３２０、設定部３２２を含み、機器４００は、通信部４１０、制御部４１２を含む。以下では、遠隔操作システム１０００の（１）基本動作を説明してから、（２）設定動作を説明する。
【００１５】
（１）基本動作
操作装置３００のスイッチ３１０は、例えば、押し下げ可能なボタンである。操作者は、機器４００を操作するために、スイッチ３１０を押し下げる。スイッチ３１０は押し下げを検知すると、押し下げを制御部３１２に通知する。制御部３１２は、押し下げを通知されると、機器４００を制御するための無線信号を生成する。図２は、遠隔操作システム１０００における無線信号のフォーマットを示す。図示のごとく、無線信号には、第１識別情報と第２識別情報とコマンド情報が含まれる。前述のごとく、第１識別情報は、無線信号の送信元である操作装置３００を識別するための情報であり、第２識別情報は、無線信号の送信先である機器４００を識別するための情報である。
【００１６】
コマンド情報は、機器４００を制御するための情報であり、例えば、機器４００の動作をオンにさせることが示される。コマンド情報では、トグルスイッチのように押し下げを通知される毎に、機器４００の動作をオンにさせること、機器４００の動作をオフにさせることが切りかえられてもよい。ここで、機器４００は複数種類の動作を実行可能であり、各動作に対応するコマンド情報が規定される。一方、操作装置３００の構成を簡易にするために、制御部３１２には、複数のコマンド情報のうちの一部、例えば１つだけが設定されており、設定されたコマンド情報が無線信号に含まれる。図１に戻る。制御部３１２は、無線信号を送信部３１４に出力する。送信部３１４は、無線信号を制御部３１２から受けつける。送信部３１４は、赤外線通信、近距離無線通信等を実行可能であり、無線信号を送信する。
【００１７】
機器４００の通信部４１０は、操作装置３００の送信部３１４と同一の通信方式に対応しており、操作装置３００からの無線信号を受信する。通信部４１０は、第１識別情報と第２識別情報とコマンド情報とを無線信号から取得し、これらを制御部４１２に出力する。制御部４１２は、第１識別情報と第２識別情報とを予め記憶しており、それらと、通信部４１０から受けつけた第１識別情報と第２識別情報とを比較する。少なくとも１つが一致しない場合、制御部４１２は処理を終了する。これは、予め設定されていない操作装置３００からの無線信号を受信した場合の動作に相当する。一方、２つともが一致する場合、制御部４１２は、通信部４１０から受けつけたコマンド情報にしたがって機器４００の動作を制御する。これには公知の技術が使用されればよいので、ここでは説明を省略する。
【００１８】
（２）設定動作
端末装置１００は、スマートフォン等の通信装置である。端末装置１００は、予めインストールされたアプリケーションプログラムを実行可能であり、設定者は、アプリケーションプログラムを実行させるとともに、登録情報を使用してアプリケーションプログラムにログインする。登録情報は、設定者を識別するための情報である。設定者は、変更すべき第１識別情報、第２識別情報、コマンド情報の少なくとも１つを入力する。端末装置１００は、第１識別情報、第２識別情報、登録情報、コマンド情報が含まれた信号（以下、「登録要求」という）を設定装置２００に送信する。
【００１９】
設定装置２００は操作装置３００を設定する。設定装置２００の入力部２１０は、端末装置１００との間で通信を実行可能であり、登録要求を端末装置１００から受信する。第１識別情報、第２識別情報、コマンド情報のうちの少なくとも１つが設定の対象である。その際のコマンド情報は、無線信号に含めることが可能なコマンド情報のうち、操作装置３００と機器４００において使用すべきコマンド情報である。入力部２１０は、これらの情報を認証部２１４に出力する。
【００２０】
記憶部２１２は、既に登録された登録情報と、当該登録情報に関連する第１識別情報等とを記憶する。図３は、記憶部２１２に記憶されるテーブルのデータ構造を示す。図示のごとく、登録情報、第１識別情報、第２識別情報、機器４００、コマンド情報とが関連づけられる。図１に戻る。認証部２１４は、記憶部２１２に記憶されたテーブルを参照することによって、入力部２１０において受けつけた登録情報に対する認証処理を実行する。例えば、認証部２１４は、入力部２１０において受けつけた登録情報がテーブルに含まれていれば、認証処理を成功として判定する。一方、認証部２１４は、入力部２１０において受けつけた登録情報がテーブルに含まれていなければ、認証処理を失敗として判定する。認証処理はこのような処理に限定されない。認証部２１４は、認証処理が失敗した場合に、処理を終了させる。一方、認証部２１４は、認証処理が成功した場合に、入力部２１０から受けつけた情報を制御部２１６に出力する。
【００２１】
制御部２１６は、認証部２１４における認証処理が成功した場合に、入力部２１０から受けつけた情報によって、記憶部２１２に記憶されたテーブルを更新する。例えば、第２識別情報とコマンド情報とが変更される場合、入力部２１０から受けつけた登録情報に関連づけられた第２識別情報とコマンド情報とをテーブルにおいて変更する。また、制御部２１６は、認証部２１４における認証処理が成功した場合に、入力部２１０から受けつけた第１識別情報と第２識別情報とコマンド情報との組合せが含まれた信号（以下、「設定信号」という）を生成する。制御部２１６は、設定信号を出力部２１８に出力する。出力部２１８は、操作装置３００との間で通信を実行可能であり、設定信号を操作装置３００に送信する。
【００２２】
操作装置３００の受信部３２０は、設定信号を設定装置２００から受信する。受信部３２０は、出力部２１８と同一の通信方式に対応する。受信部３２０と送信部３１４との通信方式は同一であってもよく、別であってもよい。受信部３２０は、第１識別情報と第２識別情報とコマンド情報との組合せを設定信号から取得し、これらを設定部３２２に出力する。設定部３２２は、受けつけた第１識別情報と第２識別情報とコマンド情報を制御部３１２に設定する。制御部３１２は、基本動作において、第１識別情報と第２識別情報とコマンド情報を使用する。第１識別情報あるいは第２識別情報が変更された場合、機器４００の制御部４１２における第１識別情報あるいは第２識別情報も変更される。この変更には公知の技術が使用されればよいので、ここでは説明を省略する。
【００２３】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００２４】
以上の構成による遠隔操作システム１０００の動作を説明する。図４は、設定装置２００による送信手順を示すフローチャートである。入力部２１０は、登録要求を受信する（Ｓ１０）。認証部２１４において認証処理が成功すれば（Ｓ１２のＹ）、記憶部２１２は、第１識別情報等を記憶し（Ｓ１４）、制御部２１６は、設定信号を送信する（Ｓ１６）。認証部２１４において認証処理が成功しなければ（Ｓ１２のＮ）、処理は終了される。
【００２５】
本実施例によれば、受けつけた登録情報に対する認証処理が成功した場合に、第１識別情報と第２識別情報との組合せを操作装置３００に出力するので、操作装置３００における第１識別情報と第２識別情報との少なくとも１つを変更できる。また、受けつけた登録情報に対する認証処理が成功した場合に、操作装置３００における第１識別情報と第２識別情報との少なくとも１つが変更されるので、操作装置３００のセキュリティを向上できる。また、設定装置２００から出力された設定信号にしたがって、操作装置３００の設定が変更されるので、操作装置３００の構成の複雑化を抑制しながら、操作装置３００による制御の柔軟性を拡張できる。また、認証処理が成功した場合にコマンド情報を操作装置３００に出力するので、使用されるコマンド情報を変更できる。また、使用されるコマンド情報が変更されるので、制御の柔軟性を拡張できる。
【００２６】
本開示の一態様の概要は、次の通りである。本開示のある態様の設定装置２００は、操作者からの操作を受けつけると、機器４００を制御するための無線信号を送信する操作装置３００を設定する設定装置２００であって、操作装置３００を識別するための第１識別情報と、機器４００を識別するための第２識別情報と、設定者を識別するための登録情報とを受けつける入力部２１０と、入力部２１０において受けつけた登録情報に対する認証処理を実行する認証部２１４と、認証部２１４における認証処理が成功した場合に、入力部２１０において受けつけた第１識別情報と第２識別情報との組合せを操作装置３００に出力する出力部２１８とを備える。操作装置３００から送信される無線信号には、第１識別情報と、第２識別情報と、機器４００を制御するためのコマンド情報が含まれる。
【００２７】
入力部２１０は、無線信号に含めることが可能なコマンド情報のうち、使用すべきコマンド情報を受けつけ、出力部２１８は、認証部２１４における認証処理が成功した場合に、入力部２１０において受けつけたコマンド情報を操作装置３００に出力する。
【００２８】
（実施例２）
次に実施例２を説明する。実施例２は、実施例１と同様に、遠隔操作システムに関する。実施例１において、操作装置は、１つのスイッチを備え、１つの機器を遠隔制御する。一方、実施例２において、操作装置は、複数のスイッチを備え、複数の機器を制御する。実施例２に係る遠隔操作システム１０００の端末装置１００、設定装置２００は図１と同様のタイプである。ここでは実施例１との差異を中心に説明する。
【００２９】
図５は、遠隔操作システム１０００の構成を示す。遠隔操作システム１０００は、操作装置３００、機器４００と総称される第１機器４００ａ、第２機器４００ｂを含む。操作装置３００は、スイッチ３１０と総称される第１スイッチ３１０ａ、第２スイッチ３１０ｂ、制御部３１２、送信部３１４、受信部３２０、設定部３２２を含む。図５において端末装置１００、設定装置２００は示されないが、これは図１と同様に遠隔操作システム１０００に含まれる。
【００３０】
（１）基本動作
操作装置３００は、操作者からの操作を受付可能な第１スイッチ３１０ａ、第２スイッチ３１０ｂを備える。スイッチ３１０の数は「２」に限定されない。第１スイッチ３１０ａは、第１機器４００ａを操作するためのスイッチ３１０であり、第２スイッチ３１０ｂは、第２機器４００ｂを操作するためのスイッチ３１０である。つまり、各スイッチ３１０は、互いに異なった機器４００を操作するために設けられる。操作者は、第１機器４００ａを操作する場合に第１スイッチ３１０ａを押し下げ、第２機器４００ｂを操作する場合に第２スイッチ３１０ｂを押し下げる。各スイッチ３１０は押し下げを検知すると、押し下げを制御部３１２に通知する。
【００３１】
制御部３１２は、押し下げを通知されると、機器４００を制御するための無線信号を生成する。無線信号のフォーマットは実施例１と同一であるが、第１スイッチ３１０ａの押し下げが通知されると、制御部３１２は、第１機器４００ａの第２識別情報と、第１機器４００ａに対するコマンド情報を無線信号に含める。一方、第２スイッチ３１０ｂの押し下げが通知されると、制御部３１２は、第２機器４００ｂの第２識別情報と、第２機器４００ｂに対するコマンド情報を無線信号に含める。いずれの場合であっても、制御部３１２は、操作装置３００の第１識別情報を無線信号に含める。制御部３１２は無線信号を送信部３１４に出力し、送信部３１４は無線信号を送信する。
【００３２】
第１機器４００ａと第２機器４００ｂは、操作装置３００からの無線信号を受信する。各機器４００の通信部４１０（図示せず）は、第１識別情報と第２識別情報とコマンド情報とを無線信号から取得し、これらを制御部４１２（図示せず）に出力する。制御部４１２は、第１識別情報と第２識別情報とを予め記憶しており、それらと、通信部４１０から受けつけた第１識別情報と第２識別情報とが一致する場合、コマンド情報にしたがって機器４００の動作を制御する。
【００３３】
（２）設定動作
端末装置１００および設定装置２００は、図１と同様に構成される。設定者は、変更すべき第１識別情報、第２識別情報、コマンド情報の少なくとも１つを端末装置１００に入力する。その際、変更対象となるスイッチ３１０および機器４００の情報も入力される。端末装置１００は、これらが含まれた登録要求を設定装置２００に送信する。
【００３４】
設定装置２００の入力部２１０は、登録要求を端末装置１００から受信する。これは、各スイッチ３１０に対するコマンド情報を受けつけることに相当する。記憶部２１２は、これまでと同様に、既に登録された登録情報と、当該登録情報に関連する第１識別情報等とを記憶する。図６は、記憶部２１２に記憶されるテーブルのデータ構造を示す。図示のごとく、登録情報、第１識別情報とが関連づけられるとともに、各スイッチ３１０および機器４００に対する第２識別情報、コマンド情報も関連づけられる。記憶部２１２に記憶されたテーブルに対する認証部２１４および制御部２１６の処理は、これまでと同様である。その結果、出力部２１８は、各スイッチ３１０に対するコマンド情報が含まれた設定信号を操作装置３００に送信する。
【００３５】
図５の操作装置３００の受信部３２０は、設定信号を設定装置２００から受信する。設定部３２２は、受けつけた第１識別情報と、各スイッチ３１０に対する第２識別情報とコマンド情報を制御部３１２に設定する。制御部３１２は、基本動作において、第１識別情報と、各スイッチ３１０に対する第２識別情報とコマンド情報を使用する。第１識別情報あるいは各スイッチ３１０に対する第２識別情報が変更された場合、機器４００の制御部４１２における第１識別情報あるいは各スイッチ３１０に対する第２識別情報も変更される。この変更には公知の技術が使用されればよいので、ここでは説明を省略する。
【００３６】
本実施例によれば、各スイッチ３１０に対するコマンド情報を受けつけると、各スイッチ３１０に対するコマンド情報を操作装置３００に出力するので、操作装置３００が複数のスイッチ３１０を備えていてもそれらの設定を変更できる。また、複数のスイッチ３１０のそれぞれの設定が変更されるので、操作装置３００による制御の柔軟性を拡張できる。
【００３７】
本開示の一態様の概要は、次の通りである。操作装置３００は、操作者からの操作を受付可能なスイッチを複数備えており、入力部２１０は、各スイッチ３１０に対するコマンド情報を受けつけ、出力部２１８は、各スイッチ３１０に対するコマンド情報を操作装置３００に出力する。
【００３８】
（実施例３）
次に実施例３を説明する。実施例３は、これまでと同様に、遠隔操作システムに関する。実施例１と２における操作装置は、１つ以上の機器に無線信号を直接送信する。一方、実施例３では、１つ以上の機器が制御装置に接続されており、操作装置は制御装置に無線信号を送信し、制御装置が１つ以上の機器を制御する。このような制御装置は、電力制御システム（ＥＭＳ：Ｅｎｅｒｇｙ  Ｍａｎａｇｅｍｅｎｔ  Ｓｙｓｔｅｍ）に含まれる。電力制御システムは、家庭内で機器の電力消費量を表示したり、遠隔地から機器の運転を制御したりする。この電力制御システムに通信プロトコルが導入される。通信プロトコルの１つであるＥＣＨＯＮＥＴ  Ｌｉｔｅ（登録商標）は、機器の種別毎に機器クラスを規定し、機器が持つ情報および制御対象をプロパティとして機器クラス毎に規定する。ここではこれまでとの差異を中心に説明する。
【００３９】
図７は、遠隔操作システム１０００の構成を示す。遠隔操作システム１０００は、端末装置１００、設定装置２００、操作装置３００、機器４００、制御装置５００を含む。制御装置５００は、第１通信部５１０、記憶部５１２、取得部５１４、第２通信部５１６を含む。設定装置２００は図１と同様に構成され、操作装置３００は図５と同様に構成される。遠隔操作システム１０００において、複数の機器４００をまとめて制御するための概念として「モード」が定義される。例えば、第１モードでは、第１機器４００ａの状態「オン」、第２機器４００ｂの状態「オン」、第３機器４００ｃの状態「オン」が設定され、第２モードでは、第１機器４００ａの状態「オフ」、第２機器４００ｂの状態「オフ」、第３機器４００ｃの状態「オン」が設定される。このようなモードはさまざまなシーンに対応づけられてもよい。例えば、第１モードは「起床時」に対応づけられ、第２モードは「帰宅時」に対応づけられる。
【００４０】
（１）基本動作
操作装置３００は、操作者からの操作を受付可能な第１スイッチ３１０ａ、第２スイッチ３１０ｂを備える。スイッチ３１０の数は「２」に限定されない。第１スイッチ３１０ａは、第１モードを選択するためのスイッチ３１０であり、第２スイッチ３１０ｂは、第２モードを選択するためのスイッチ３１０である。つまり、各スイッチ３１０は、モードを機器４００を選択するために設けられる。操作者は、第１モードを選択する場合に第１スイッチ３１０ａを押し下げ、第２モードを操作する場合に第２スイッチ３１０ｂを押し下げる。各スイッチ３１０は押し下げを検知すると、押し下げを制御部３１２に通知する。
【００４１】
制御部３１２は、押し下げを通知されると、複数の機器４００を制御するための無線信号を生成する。図８は、遠隔操作システム１０００における無線信号のフォーマットを示す。図示のごとく、無線信号には、第１識別情報と第２識別情報とモード識別情報が含まれる。ここで、第２識別情報は、機器４００を識別するための情報ではなく、制御装置５００を識別するための情報である。モード識別情報は、スイッチ３１０において選択されたモードを示すための情報であり、例えば、第１モードあるいは第２モードを示す。図１に戻る。制御部３１２は無線信号を送信部３１４に出力し、送信部３１４は無線信号を送信する。
【００４２】
制御装置５００は、操作者からの操作を受けつけた操作装置３００からの無線信号をもとに、複数の機器４００を制御する。制御装置５００の第１通信部５１０は、操作装置３００の送信部３１４と同一の通信方式に対応しており、操作装置３００からの無線信号を受信する。第１通信部５１０は、第１識別情報と第２識別情報とモード識別情報とを無線信号から取得し、これらを取得部５１４に出力する。
【００４３】
記憶部５１２は、第１識別情報と第２識別情報とモード識別情報に対するテーブルを記憶する。図９は、記憶部５１２に記憶されるテーブルのデータ構造を示す。これは、第１識別情報「Ｌ１」、第２識別情報「Ｍ１」に対するテーブルである。別の第１識別情報に対して別のテーブルが記憶部５１２に記憶されていてもよい。テーブルでは、第１モードに対する第１機器４００ａの動作「Ｎ１」、第２機器４００ｂの動作「Ｏ１」、第３機器４００ｃの動作「Ｐ１」が示される。また、テーブルでは、第２モードに対する第１機器４００ａの動作「Ｎ２」、第２機器４００ｂの動作「Ｏ２」、第３機器４００ｃの動作「Ｐ２」が示される。前述の例では、Ｎ１は「オン」を示し、Ｏ１は「オン」を示し、Ｐ１は「オン」を示し、Ｎ２は「オフ」を示し、Ｏ２は「オフ」を示し、Ｐ２は「オン」を示す。図７に戻る。
【００４４】
取得部５１４は、記憶部５１２に記憶されたテーブルの第１識別情報と第２識別情報と、第１通信部５１０から受けつけた第１識別情報と第２識別情報とを比較する。少なくとも１つが一致しない場合、取得部５１４は処理を終了する。これは、予め設定されていない操作装置３００からの無線信号を受信した場合の動作に相当する。一方、２つともが一致する場合、取得部５１４は、通信部４１０から受けつけたモード識別情報をもとに、記憶部５１２に記憶されたテーブルから各機器４００の制御内容を取得する。例えば、モード識別情報が「第１モード」を示す場合、取得部５１４は、第１機器４００ａの動作「Ｎ１」、第２機器４００ｂの動作「Ｏ１」、第３機器４００ｃの動作「Ｐ１」を取得する。これらの動作はコマンド情報として示されてもよい。そのため、取得部５１４は、第１通信部５１０において受信した無線信号に含まれた第１識別情報と第２識別情報とモード情報をもとに、複数の機器４００のそれぞれに対するコマンド情報を取得するといえる。取得部５１４は、複数の機器４００のそれぞれに対するコマンド情報を第２通信部５１６に出力する。
【００４５】
第２通信部５１６は、ＥＣＨＯＮＥＴ  Ｌｉｔｅ（登録商標）に対応した通信機能を有し、各機器４００にコマンド情報を送信する。例えば、第２通信部５１６は、第１機器４００ａに対して動作「Ｎ１」を示すコマンド情報、第２機器４００ｂに対して動作「Ｏ１」を示すコマンド情報、第３機器４００ｃに対して動作「Ｐ１」を示すコマンド情報を送信する。各機器４００は、第２通信部５１６から受信したコマンド情報に応じた動作を実行する。
【００４６】
（２）設定動作
設定者は、変更すべき第１識別情報、第２識別情報の少なくとも１つを端末装置１００に入力する。端末装置１００は、これらが含まれた登録要求を設定装置２００に送信する。設定装置２００の入力部２１０は、登録要求を端末装置１００から受信する。記憶部２１２は、これまでと同様に、既に登録された登録情報と、当該登録情報に関連する第１識別情報等とを記憶する。記憶部２１２に記憶されたテーブルに対する認証部２１４および制御部２１６の処理は、これまでと同様である。その結果、出力部２１８は、入力部２１０において受けつけた第１識別情報と第２識別情報との組合せが含まれた設定信号を操作装置３００に送信する。
【００４７】
操作装置３００の受信部３２０は、設定信号を設定装置２００から受信する。設定部３２２は、受けつけた第１識別情報と第２識別情報とを制御部３１２に設定する。制御部３１２は、基本動作において、第１識別情報と第２識別情報とを使用する。第１識別情報あるいは第２識別情報が変更された場合、制御装置５００の記憶部５１２における第１識別情報あるいは第２識別情報も変更される。この変更には公知の技術が使用されればよいので、ここでは説明を省略する。
【００４８】
本実施例によれば、無線信号に含まれた第１識別情報と第２識別情報とをもとに、複数の機器４００のそれぞれに対するコマンド情報を取得し、それらを各機器４００に送信するので、１つの無線信号により複数の機器４００を制御できる。また、無線信号に含まれたモード識別情報をもとに、複数の機器４００のそれぞれに対するコマンド情報を取得し、それらを各機器４００に送信するので、１つの無線信号により複数の機器４００を制御できる。また、受けつけた登録情報に対する認証処理が成功した場合に、第１識別情報と第２識別情報との組合せを操作装置３００に出力するので、操作装置３００における第１識別情報と第２識別情報との少なくとも１つを変更できる。また、受けつけた登録情報に対する認証処理が成功した場合に、操作装置３００における第１識別情報と第２識別情報との少なくとも１つが変更されるので、操作装置３００のセキュリティを向上できる。また、設定装置２００から出力された設定信号にしたがって、操作装置３００は設定を変更するので、操作装置３００の構成の複雑化を抑制しながら、操作装置３００による制御の柔軟性を拡張できる。
【００４９】
本開示の一態様の概要は、次の通りである。本開示の別の態様は、制御装置５００である。この装置は、操作者からの操作を受けつけた操作装置３００からの無線信号をもとに、複数の機器４００を制御する制御装置５００であって、操作装置３００を識別するための第１識別情報と、本制御装置５００を識別するための第２識別情報とが含まれる無線信号を操作装置３００から受信する第１通信部５１０と、第１通信部５１０において受信した無線信号に含まれた第１識別情報と第２識別情報とをもとに、複数の機器４００のそれぞれに対するコマンド情報を取得する取得部５１４と、取得部５１４において取得したコマンド情報であって、かつ複数の機器４００のそれぞれに対するコマンド情報を各機器４００に送信する第２通信部５１６と、を備える。
【００５０】
第１通信部５１０において受信した無線信号には、モードを識別するためのモード識別情報が含まれており、取得部５１４は、第１通信部５１０において受信した無線信号に含まれたモード識別情報に対応したコマンド情報であって、かつ複数の機器４００のそれぞれに対するコマンド情報を取得する。
【００５１】
制御装置５００に無線信号を送信すべき操作装置３００を設定する設定装置２００であって、第１識別情報と、第２識別情報と、設定者を識別するための登録情報とを受けつける入力部２１０と、入力部２１０において受けつけた登録情報に対する認証処理を実行する認証部２１４と、認証部２１４における認証処理が成功した場合に、入力部２１０において受けつけた第１識別情報と第２識別情報との組合せを操作装置３００に出力する出力部２１８と、を備えてもよい。
【００５２】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００５３】
実施例１乃至３において、端末装置１００と設定装置２００が含まれる。しかしながらこれに限らず例えば、設定装置２００が端末装置１００に含まれてもよい。本変形例によれば、構成の自由度を向上できる。
【００５４】
実施例１、２において、無線信号には、コマンド情報が含まれる。しかしながらこれに限らず例えば、機器４００における制御の内容が予め定められている場合、無線信号にコマンド情報が含まれていなくてもよい。本変形例によれば、構成の自由度を拡大できる。
【００５５】
実施例３において、操作装置３００には複数のスイッチ３１０が備えられる。しかしながらこれに限らず例えば、操作装置３００に１つのスイッチ３１０が備えられてもよい。その場合、無線信号にモード識別情報が含まれていなくてもよい。本変形例によれば、構成の自由度を拡大できる。
【符号の説明】
【００５６】
１００  端末装置、  ２００  設定装置、  ２１０  入力部、  ２１２  記憶部、  ２１４  認証部、  ２１６  制御部、  ２１８  出力部、  ３００  操作装置、  ３１０  スイッチ、  ３１２  制御部、  ３１４  送信部、  ３２０  受信部、  ３２２  設定部、  ４００  機器、  ４１０  通信部、  ４１２  制御部、  １０００  遠隔操作システム。
【図１】
2020010255.tif 000003
【図２】
2020010255.tif 000004
【図３】
2020010255.tif 000005
【図４】
2020010255.tif 000006
【図５】
2020010255.tif 000007
【図６】
2020010255.tif 000008
【図７】
2020010255.tif 000009
【図８】
2020010255.tif 000010
【図９】
2020010255.tif 000011